(57)【特許請求の範囲】
【請求項１】
蓄電池の端子に接触端子を押圧して接触させ蓄電池の電池電圧を測定するに当たり、接触端子を平板状に形成するとともに、接触端子の両端を押圧力を異ならせた支持部材で支持し、接触端子を蓄電池の端子に偏位して押圧して蓄電池の端子に対して接触端子を傾斜させることによって蓄電池の端子に対して接触端子を横滑りさせることを特徴とする蓄電池の電池電圧を測定する方法。
【請求項２】
押圧プレートと、この押圧プレートを押圧する押圧手段と、この押圧プレートの両端に装着された支持部材により取り付けられた接触端子から成り、押圧プレートの一端に装着された支持部材はバネ部材であり、他端は棒部材であり、棒部材の先端は接触端子と長孔を介して取り付けられて、接触端子は押圧プレートと平行に配置され、押圧手段で押圧プレートを押圧することによってバネ部材が圧縮されて接触端子が傾斜して蓄電池の端子に摺接するようにしたことを特徴とする蓄電池の電池電圧を測定する端子装置。
【請求項３】
押圧プレートの両側に装着される支持部材として、各々圧縮力が相違するバネ部材とした請求項２記載の蓄電池の電池電圧を測定する端子装置。
【発明の詳細な説明】
【技術分野】
【０００１】
この発明は、蓄電池の電池電圧を簡便に、しかも誤判定を低減して正しく測定する方法およびその端子装置に関する。
【背景技術】
【０００２】
従来、自動車の蓄電池の電池電圧を測定する治具の接触端子は、その先端が鋭角になっていて、蓄電池端子の表面の酸化した皮膜を貫通させて正確な電池電圧を測定するものであった。しかしながら、このような先端が鋭角になった接触端子を用いて蓄電池の電池電圧を測定すると、蓄電池の端子を傷つけるといった問題が指摘されていた。
【０００３】
そこでこれまでにも、蓄電池の端子を傷つけないで蓄電池の電圧を測定するものとして、陽極および陰極端子嵌合用テーパ孔を凹設したブロック状接触部材を配設するとともに、これらの一対のブロック状接触部材に一対のリード線を接続した蓄電池の電圧測定用治具が公知である（例えば、実用新案文献１）。
【０００４】
［実用新案文献１］公開実用平成３−４４６７５（実用新案登録請求の範囲１）
また接触性能を改善したものとして、パット側の表面に酸化物などの異物が付着した場合に両者の接触が不良となるので、接触子の先端をパット側の傾斜面に圧接させ、さらに傾斜面の傾斜により先端に横方向の移動を生じさせて接触子を段差に当接させて接触子をパットに複数点で接触させるようにしたスプリングコンタクトの接触方法が公知である（例えば、特許文献１）。
【特許文献１】特開平５−２６９０４（特許請求の範囲２）
【発明の開示】
【発明が解決しようとする課題】
【０００５】
しかしながら、実用新案文献１の先行技術では、確かに蓄電池の端子を傷つけることは避けられるが、端子表面の酸化膜の除去がなされずに接触不良の問題を解決することは困難であった。また、特許文献１のものでは、蓄電池の端子に傾斜面を形成することができず、この技術を蓄電池に適用することは出来なかった。
【０００６】
この発明は、蓄電池の端子に何らの傷を付けずに、しかも簡便で能率的に蓄電池の端子電圧を正確に測定することができるような方法および装置を提供しようとするものである。
【課題を解決するための手段】
【０００７】
この発明は、蓄電池の端子に接触端子を押圧して接触させ蓄電池の電池電圧を測定するに当たり、接触端子を平板状に形成するとともに、接触端子の両端を押圧力を異ならせた支持部材で支持し、接触端子を蓄電池の端子に偏位して押圧して蓄電池の端子に対して接触端子を傾斜させることによって蓄電池の端子に対して接触端子を横滑りさせることを特徴とする蓄電池の電池電圧を測定する方法（請求項１）、押圧プレートと、この押圧プレートを押圧する押圧手段と、この押圧プレートの両端に装着された支持部材により取り付けられた接触端子から成り、押圧プレートの一端に装着された支持部材はバネ部材であり、他端は棒部材であり、棒部材の先端は接触端子と長孔を介して取り付けられて、接触端子は押圧プレートと平行に配置され、押圧手段で押圧プレートを押圧することによってバネ部材が圧縮されて接触端子が傾斜して蓄電池の端子に摺接するようにしたことを特徴とする蓄電池の電池電圧を測定する端子装置（請求項２）および押圧プレートの両側に装着される支持部材として、各々圧縮力が相違するバネ部材とした請求項２記載の蓄電池の電池電圧を測定する端子装置（請求項３）である。
【発明の効果】
【０００８】
この発明によれば、蓄電池の端子電圧を誤判定の少ない状態で測定することができるので蓄電池生産の歩留まりが向上する。また、この発明によれば簡単にしかも能率的に蓄電池の端子電圧を正確に測定することができるので生産効率が向上する。さらに、この発明は簡単な治具で正確な端子電圧が測定できるので、その経済性も大きくアップする。
【発明を実施するための最良の形態】
【０００９】
この発明は、蓄電池の端子に接触端子を押圧して蓄電池の電池電圧を測定する方法で、その概要は図１に示されている。図１に示すように、蓄電池１は図示しないコンベアで電圧測定装置２の下方へ移動されてセットされる。ここで電圧測定装置２は、電圧測定用の接触端子３を下降させて、接触端子３，３の下端が蓄電池の端子４、４と接触した状態として蓄電池の電圧を測定する。図１は接触端子３の下面が蓄電池の陽極および陰極の各端子上面に接触した状態を示したものである。なお、図中、イは接触端子に接続された電圧測定用の接続線である。
【００１０】
この状態の詳細は、例えば陽極の端子を例として図２に示されている。図２（Ａ）は、蓄電池１とその上方にある電圧測定装置２の下部を拡大して示し、接続線やその他の部分は省略されている。
【００１１】
電圧測定装置２は、その下部にピストン機構を備え、そのピストンロッド５の先端に押圧プレート６が固着されている。押圧プレート６は、その下側の一方端で棒部材７からなる支持部材が連結されている。棒部材７はその下方で接触端子３の一端で長孔８でもって回動及び摺動自在に連結されている。また、前記の押圧プレート６の他端は支持部材としてバネ部材９が介装した芯金１０とともに接触端子３の他端と連結されている。バネ部材９はコイルスプリングで押圧プレート６と接触端子３の間で芯金１０を中心にして嵌挿されている。芯金１０は、その下端が接触端子３にピン１１で回転自在に連結されている。芯金１０の上端は押圧プレート６を貫通して上端ではストッパー１２で抜け止めされている。
【００１２】
接触端子３は所定の長さを有する金属平板で、図２（Ａ）は電圧測定装置２が蓄電池１の真下に位置した状態を示したものである。図２（Ｂ）は、（Ａ）の状態で電圧測定装置のピストン機構を駆動してロッド５を下降して、電圧測定装置の接触端子３を蓄電池の端子４の上面に接触させた状態を示したものである。この場合、接触端子３の端子４への接触は中央ではなく、バネ部材９の側へ偏位した位置で接触させる。図（Ｃ）は、ピストンロッド５をさらに下降させて押圧プレート６と接触端子３との間に装着したバネ部材９を圧縮させた状態を示したものである。この状態となると接触端子３と押圧プレート間の距離は、棒部材７の部分ではこれまでと変わらないのに対し、バネ部材９の部分では押圧力が低いので押圧されて短縮され、その結果接触端子３は図示したように傾斜（図では左下がり。）する。
【００１３】
それと同時に、この接触端子３は蓄電池１の端子４の上面を摺接しながら傾斜方向に横滑りを生じる。それに伴って蓄電池の端子上面を擦って端子のこの部分の酸化膜を除去しその結果として接触端子３と蓄電池端子４との電気的接触を良好にするものである。
【００１４】
上記の実施例では、接触端子の一方の側にだけバネ部材を装着したが、接触端子の他方の側にも同じようにバネ部材を装着して、両者のバネ圧を相違しても同様な効果をもたらすことができる。即ち、この場合も、同じように接触端子３は傾斜して、接触端子３は蓄電池１の端子４の上面を摺接しながら傾斜方向に横滑りを生じるものである。この実施例では蓄電池の陽極端子の場合について述べたが陰極端子の場合も全く同様である。
【００１５】
そして、電池の電圧測定では陽極端子および陰極端子の接続を上記のようにして同時に行い電圧測定を行うことができる。
【００１６】
なお、バネ部材としてコイルスプリングの例を示したが、コイルスプリングに代えエアサスペンションのような空気圧を利用しても使用できる。
【実施例】
【００１７】
（実施例）
図１および図２に示すようにして蓄電池の電圧を測定した。即ち、接触端子の一方端には棒部材を、他方の端にはバネ部材を装着して接触端子を傾斜させることによって、蓄電池端子の表面の酸化膜を取除いて電池電圧を測定した。接触端子と蓄電池端子との接触点の支点から７０mm離れた位置での電圧測定を、圧力１ｋｇ／ｃｍ３として接触端子の傾きを１０度から５度ずつ増して３０度まで傾けて測定した。結果は表１の通りであった。なお、試験は各々１００個行ってその平均の値を示した。また、従来例との比較も示した。
【表１】
0004815417.tif 000002
【００１８】
表１の結果から、接触端子の傾きが２０度以上であれば電圧測定の誤差が生じないことが明らかである。
【図面の簡単な説明】
【００１９】
【図１】この発明の蓄電池の電圧測定方法を示す説明図。
【図２】この発明の蓄電池の電圧測定方法の工程を示す説明図。
【符号の説明】
【００２０】
１‥蓄電池、２‥電圧測定装置、３‥接触端子、４‥蓄電子の端子、５‥ピストンロッド、６‥押圧プレート、７‥支持部材としての棒部材、８‥支持部材としてのバネ部材、１０‥芯金、１１‥ピン、１２‥ストッパー。
【図１】
0004815417.tif 000003
【図２】
0004815417.tif 000004